(57)【要約】【課題】移動体端末等が有する電話帳データと当該電話帳データを送出する機能とを利用して、他の電話機を用いて通信を行なう。【解決手段】本発明の電話装置は、移動体端末等から受信した共通データフォーマットを有する電話帳データから電話番号を抽出し、抽出した電話番号へ発呼処理を行なう手段を有する。具体的には、赤外線により受信したｖＣａｒｄ（登録商標）データから電話番号を抽出し、抽出した電話番号から１つの電話番号を選択し、選択した電話番号により特定される通話相手装置との間に呼を設定する。【選択図】図２
2004320110.tif 000002
【特許請求の範囲】
【請求項１】
電話網を介して当該通信相手装置との間に呼を設定する通信処理部と、前記呼上で送受する音声を処理する音声処理部とを有する電話装置であって、
外部装置から送出された、識別番号と当該識別番号に関連する少なくとも１つの電話番号を含む所定のフォーマットのデータを受信する受信手段と、
前記受信した所定のフォーマットのデータから電話番号を抽出する電話番号抽出手段とを備え、
前記通信処理部は、前記電話番号抽出手段により抽出された電話番号から１つの電話番号を選択し、当該選択された電話番号により特定される通話相手装置との間に呼を設定すること
を特徴とする電話装置。
【請求項２】
請求項１記載の電話装置であって、
前記所定のフォーマットのデータは、ｖＣａｒｄ（登録商標）であり、
前記電話番号抽出手段は、前記ｖＣａｒｄ（登録商標）において、電話番号を示すコードに続く連続する２つ以上の数字データを電話番号として抽出すること
を特徴とする電話装置。
【請求項３】
請求項１または２記載の電話装置であって、
前記受信手段は、赤外線受信手段であることを特徴とする電話装置。
【請求項４】
請求項１、２、または、３記載の電話装置であって、
複数種類の電話網とのインタフェースと、
前記複数種類の電話網の選択を受け付ける電話網選択手段とをさらに備え、
前記通信処理部は、電話網選択手段で選択された電話網と接続し、当該電話網を介して、前記選択された電話番号により特定される通話相手との間に呼を設定することを特徴とする電話装置。
【請求項５】
電話網を介して通信相手装置との呼を発する発呼方法であって、
外部装置から、識別番号と当該識別番号に関連する少なくとも１つの電話番号を含む所定のフォーマットのデータを受信する電話番号受信ステップと、
前記受信した所定のフォーマットのデータから電話番号を抽出する電話番号抽出ステップと、
前記抽出した電話番号から１つの電話番号を選択し、当該選択された電話番号により特定される通話相手装置との呼を前記電話網へ発する発呼ステップとを備えること
を特徴とする発呼方法。
【発明の詳細な説明】
【０００１】
【発明の属する技術分野】
本発明は、電話装置の発呼技術に関する。
【０００２】
【従来の技術】
携帯電話機などの移動体端末に登録された電話帳データを固定電話で用いる技術がある。例えば、移動体端末に登録された電話番号や名前を含む電話帳データを、釦電話や公衆電話などの固定電話に送信し、固定電話機の表示装置に表示させる技術（特許文献１参照）、さらに、固定電話機側で受信した電話番号が示す相手先と呼を設定することにより、通話を行なう技術などがある（特許文献２および特許文献３参照）。
【０００３】
【特許文献１】
特開２００１−６９２２５号公報
【特許文献２】
特開２００１−２８５４４８号公報
【特許文献３】
特開２００２−２３７９１２号公報
【０００４】
【発明が解決しようとする課題】
しかしながら、上記の文献には、移動体端末と固定電話機との間で送受信されるデータのフォーマットに関する記載はなく、具体的な方法は考慮されていなかった。
【０００５】
ところで、携帯電話機やＰＨＳなどの移動体端末、あるいは、ＰＤＡなどの携帯情報端末において、例えば電子名刺形式の共通データフォーマットを有する電話帳データが普及している。
【０００６】
また、これらの移動体端末や携帯情報端末は、通話手段とは別に、赤外線などによる通信手段を備え、無線または有線で、共通データフォーマットで作成されている電話帳データをやりとりできるようになっている。
【０００７】
そこで、本発明は、移動体端末等が有する電話帳データと当該電話帳データを送出する機能とを利用して、他の電話機を用いて通信を行なうことを目的とする。
【０００８】
【課題を解決するための手段】
上記課題を解決するために、本発明の電話装置は、移動体端末等から受信した共通データフォーマットを有する電話帳データから電話番号を抽出し、抽出した電話番号へ発呼処理を行なう手段を有する。
【０００９】
具体的には、電話網を介して当該通信相手装置との間に呼を設定する通信処理部と、前記呼上で送受する音声を処理する音声処理部とを有する電話装置であって、外部装置から送出された、識別番号と当該識別番号に関連する少なくとも１つの電話番号を含む所定のフォーマットのデータを受信する受信手段と、
前記受信した所定のフォーマットのデータから電話番号を抽出する電話番号抽出手段とを備え、前記通信処理部は、前記電話番号抽出手段により抽出された電話番号から１つの電話番号を選択し、当該選択された電話番号により特定される通話相手装置との間に呼を設定することを特徴とする電話装置を提供する。
【００１０】
【発明の実施の形態】
以下、本発明の実施の形態について説明する。なお、以下の実施形態では、移動体端末として携帯電話機を、固定電話機として釦電話機を例にあげ、携帯電話機から釦電話機に電話帳データを送信し、発呼処理を行なう場合を説明する。しかし、本発明はこれに限られない。例えば、携帯電話の代わりにＰＤＡなどの携帯情報端末を用いてもよいし、発呼処理を行なう側の電話機として、釦電話機の代わりに公衆電話、一般家庭用電話機としてもよい。
【００１１】
また、携帯電話機と固定電話機との間の電話番号データの送受信は、赤外線による短距離無線通信プロトコル（ＩｒＤＡ）を、名刺データのフォーマットはｖＣａｒｄ（登録商標）を例に挙げ説明する。もちろん、両電話機間の短距離データ通信の媒体、プロトコルは本実施形態のものに限られない。両電話機がインタフェースを備えてさえいれば、無線であっても有線であってもよい。また、やりとりする電話番号データのフォーマットもｖＣａｒｄ（登録商標）に限られない。両電話機が、電話番号を認識および抽出できる所定の形式であればよい。
【００１２】
図１は、本発明の一実施形態が適用されたシステム全体の構成図を示す。本図に示すように、ｖＣａｒｄ（登録商標）フォーマットの電子名刺データと、当該電子名刺データを赤外線で外部と送受信可能な赤外線送受信部とを有する携帯電話機２００と、携帯電話機２００から赤外線で送信された電子名刺データを受信する赤外線受信部と、赤外線受信部で受信した電子名刺データから電話番号を抽出し、発呼処理を行なう機能とを有する１つ以上の釦電話機ＴＥＬＩＲ１００と、釦電話ＴＥＬＩＲ１００と外線などの電話網３００との間の回線交換を実現する主装置ＰＢＸ４００とを備える。
【００１３】
主装置ＰＢＸ４００に接続される釦電話機ＴＥＬＩＲ１００の数は特に規定されない。また、主装置ＰＢＸ４００には、赤外線受信部を備えない、通常の釦電話ＴＥＬ１１０が同時に接続されていてもよい。
【００１４】
釦電話機ＴＥＬＩＲ１００は、主装置ＰＢＸ４００を介して電話網３００に接続される電話機であり、利用者は、釦電話機ＴＥＬＩＲ１００から所定の手順で発呼指示を行なうことにより、主装置４００を介して電話網３００を用いた通話を行うことができる。
【００１５】
図２は、釦電話機ＴＥＬＩＲ１００および主装置ＰＢＸ４００の機能構成を説明するための機能ブロック図である。
【００１６】
本図に示すように、釦電話機ＴＥＬＩＲ１００は、送受話部３と本体部１とを備える。
【００１７】
送受話部３は、マイクロフォン等から構成される受話部３１と、スピーカ等により構成される送話部３２とを備える。
【００１８】
本体部１は、赤外線通信部１０と、操作部１１と、音声処理部１２と、主制御部１３と、主装置伝送部１４と、表示部１５と、記憶部１６と、電話番号抽出処理部１７と、電話番号変換処理部１８と、電話番号発信処理部１９とを備える。
【００１９】
操作部１１は、機能キー、ダイヤルキー等を備え、釦電話機のマンマシンインタフェースであり、操作部１１のキー等を介して利用者から入力された各種の指示は、主制御部１３の制御に従って処理され、主装置伝送部１４を介して主装置ＰＢＸ４００に送信される。
【００２０】
表示部１５は、ランプ、ＬＣＤ、液晶ディスプレイなどの表示装置を備え、釦電話機ＴＥＬＩＲ１００内で処理された情報、または、主装置ＰＢＸ４００から送信された情報を、主制御部１３の制御に従って表示する。
【００２１】
音声処理部１２は、送受信部３の受話部３１を介して受信した音声信号を処理して主装置伝送部１４に受け渡し、また、主装置伝送部１４から受信した音声データを処理して送受信部３の送話部３２から出力させる。
【００２２】
主装置伝送部１４は、釦電話機ＴＥＬＩＲ１００の本体部１と主装置ＰＢＸ４００との間のインタフェースであり、電話番号発信処理部１９に従って操作部１１を介して指示された電話番号へ発呼する呼制御手順を主装置ＰＢＸ４００との間で実行し、通話相手との間に呼を設定する。
【００２３】
また、主装置伝送部１４は、音声処理部１２が処理した音声信号を、設定した呼上に載せて主装置ＰＢＸ４００に送信し、また、主装置ＰＢＸ４００から呼に載せられて受信した音声データを処理して音声処理部１２に受け渡す。
【００２４】
赤外線通信部１０は、赤外線インタフェースを備えた赤外線通信モジュールで、携帯電話機２００から赤外線で送信される電子名刺データを受信する。本実施形態では、赤外線投受光素子、赤外線通信モデム等で実現される。
【００２５】
電話番号抽出処理部１７は、赤外線通信部１０において受信した電子名刺データから、電話番号を抽出し、記憶部１６に格納する。また、必要に応じて、抽出した電話番号を表示部１５に表示させる。
【００２６】
電話番号変換処理部１８は、電話番号抽出処理部１７において抽出した電話番号データを、既存の主装置間通信インタフェースによって送信されるダイヤルデータのコードに変換する処理を行なう。
【００２７】
電話番号発信処理部１９は、外線または内線を捕捉するデータ、および、操作部１１を介して入力された発信先電話番号から生成されるダイヤルコード、または、電話番号編集処理部１８によって変換されたダイヤルコードを、主装置伝送部１４を介して、主装置ＰＢＸ４００に送出する。
【００２８】
なお、発信先電話番号は、操作部１１の所定のキーの押し下げに応じて、予め記憶部１６に登録された電話番号を抽出することにより取得してもよい。また、操作部１１の所定のキーの押し下げに応じて、予め主装置ＰＢＸ４００側に登録された電話番号の選択を受け付けるよう構成してもよい。
【００２９】
記憶部１６は、プログラムやデータを記憶するもので、受信データ一時記憶領域１６１と、電話番号一時記憶領域１６２と、作業用記憶領域１６３と、プログラム等蓄積記憶領域１６４とを備える。
【００３０】
プログラ等蓄積記憶領域１６４は、釦電話機ＴＥＬＩＲ１００を制御するためのプログラムを蓄積する領域である。本釦電話機ＴＥＬＩＲ１００の各機能は、プログラム等蓄積記憶領域１６４に記憶されたプログラムにより実現される。また、電話帳データとして釦電話機ＴＥＬＩＲ１００に予め登録された電話番号などを記憶する。
【００３１】
作業用記憶領域１６３は、主制御部１３が制御を行なう際に一時的に使用する領域である。
【００３２】
受信データ一時記憶領域１６１は、携帯電話機２００から送信される電子名刺データを解析するために一時的に保管するための領域である。赤外線通信部１０を介して携帯電話機２００から電子名刺データを受信すると、主制御部１３は、受信データ一時記憶領域１６１に一旦格納する。
【００３３】
電話番号一時記憶領域１６２は、電話番号抽出処理部１７が、受信データ一時記憶領域１６１に記憶された電子名刺データから抽出した電話番号を一時的に保管するための領域である。
【００３４】
主制御部１３は、ＣＰＵで構成され、釦電話機ＴＥＬＩＲ１００の各機能ブロックの制御と監視とを行い、釦電話機としての機能を実現するための中枢処理を行なう。
【００３５】
上記の赤外線通信部１０の詳細について、次に説明する。
【００３６】
図３は、赤外線通信部１０の機能ブロック図である。図３（ａ）は赤外線通信部１０が独自のＣＰＵからなる制御部を有しない場合を示し、図３（ｂ）は、主制御部１３とは別に独自のＣＰＵからなる制御部を有する場合を説明するための図である。
【００３７】
図３（ａ）に示すように、赤外線通信部１０は、赤外線送受光部１０１を備え、釦電話ＴＥＬＩＲ１００の制御部とシリアルで信号を送受信する。
【００３８】
赤外線送受光部１０１は、赤外線機器が付加された携帯電話機２００との間で、赤外線にて通信を行なう。主制御部１３からの送信信号を赤外線信号に変換して外部に送出する。また、外部から受信した赤外線信号を受信信号に変換して主制御部１３に送出する。
【００３９】
このとき、主制御部１３は、赤外線送受光部１０１との間で送受信信号の伝送を行い、受信した電子名刺データを、受信データ一時記憶領域１６に格納する。
【００４０】
なお、赤外線通信部１０が、釦電話機ＴＥＬＩＲ１００とは独立して制御部を備える構成としてもよい。この場合の機能構成を図３（ｂ）に示す。赤外線通信部１０は、上記の赤外線送受光部１０１に加え、制御部１０２と、受信データ記憶部１０３とを備える。
そして、赤外線送受光部１０１は、制御部１０２との間で、赤外線信号の送受信を行なう。
【００４１】
また、制御部１０２は、ＣＰＵで構成され、赤外線送受光部１０１との間で、送受信信号の伝送を行なう。また、赤外線送受光部１０１を介して携帯電話機２００から受信した電子名刺データを受信データ記憶部１０３に蓄積し、データの受信完了を確認したら、受信データ記憶部１０３に蓄積された電子名刺データをシリアル伝送にて主制御部１３に送信する。
【００４２】
次に、主装置ＰＢＸ４００の機能構成について説明する。
【００４３】
主装置ＰＢＸ４００は、図２に示すように、音声処理部２０と、電話機伝送部２１と、主制御部２２と、外線インタフェース部２３とを備える。
【００４４】
電話機伝送部２１は、釦電話機ＴＥＬＩＲ１００とのインタフェースで、主装置伝送部１４との間で、表示データ、制御用データ、ダイヤルデータおよび音声通話データ等を送受信する。
【００４５】
音声処理部２０は、外線インタフェース部２３を介して受信する音声データと、電話機伝送部２１を介して釦電話機ＴＥＬＩＲ１００に送信する信号との間の変換処理を行なう。
【００４６】
外線インタフェース部２３は、ＩＳＤＮや、一般加入電話回線などとの通信シーケンスを実現するインタフェースである。
【００４７】
主制御部２２は、主装置ＰＢＸ４００を構成する各機能部を制御するものである。
【００４８】
なお、釦電話機ＴＥＬＩＲ１００の、送受話部０、操作部１１、音声処理部１２、主制御部１３、主装置伝送部１４、表示部１５、および、主装置ＰＢＸ４００の上述の各機能部は、従来の釦電話機ＴＥＬＩＲ１００および主装置ＰＢＸ４００が備える構成であるため、ここでは、詳細に説明しない。
【００４９】
また、携帯電話機２００は、電話網３００に無線通信によって接続される電話機であり、利用者は、携帯電話機２００を用いて電話網３００を用いた通話を行うことができる。
【００５０】
図４は、携帯電話機２００の機能構成図である。
【００５１】
本図に示すように、携帯電話機２００は、キー群２１０と、表示器２１１と、メモリ２１５と、マンマシンインタフェース制御部２１２と、主制御部２１３と、短距離無線制御部２１４と、無線通信制御部２１６と、音声処理部２１７と、マイクロフォン２１８と、スピーカ２１９とを備えている。
【００５２】
本実施形態では、短距離無線制御部２１４は、赤外線による短距離無線通信プロトコル（ＩｒＤＡ）に従って、データの送受信を行なう。また、メモリ２１５には、ｖＣａｒｄ（登録商標）フォーマットの電子名刺データ等が記憶されている。これらは、既存の携帯電話機に備えられた一般的な機能であるため、ここでは、詳細に説明しない。
【００５３】
ここで、携帯電話機２００が釦電話機ＴＥＬＩＲ１００に、電子名刺データを送信する際のシーケンスの詳細を説明する。
【００５４】
図５（ａ）に携帯電話機２００による電子名刺データ送信シーケンスを示す。
【００５５】
本図に示すように、携帯電話機２００の短距離無線制御部２１４は、送信先の釦電話機ＴＥＬＩＲ１００を認識し、接続する。釦電話機ＴＥＬＩＲ１００から、了解を示す信号を受信すると、セッションを開始し、ＩｒＤＡのファイル転送プロトコルであるＯＢＥＸ（ＯＢｊｅｃｔ  Ｅｘｃｈａｎｇｅ）プロトコルに従って、ｖＣａｒｄ（登録商標）フォーマットの電子名刺データを送信する。
【００５６】
短距離無線制御部２１４は、釦電話機ＴＥＬＩＲ１００から、受信完了のレスポンスを受信すると、ＯＢＥＸによる接続を切断し、釦電話機ＴＥＬＩＲ１００からの了解信号の受信に伴い赤外線送信を切断し、セッションを終了する。
【００５７】
なお、ここで、赤外線通信部１０が、釦電話機ＴＥＬＩＲ１００の制御部とは独立した制御部１０２を備える構成の場合、赤外線通信部１０と釦電話機ＴＥＬＩＲ１００の主制御部１３との電子名刺データ送受信のシーケンスを説明する。
【００５８】
図５（ｂ）は、この場合の赤外線通信部１０と主制御部１３との間の電子名刺データ送受信のシーケンスである。
【００５９】
本図に示すように、赤外線通信部１０と、主制御部１３との間のデータ伝送シーケンスは、主制御部１３が、主制御部１３から赤外線通信部１０を制御するための命令（コマンド：ＣＯ：）を発行し、これに対し、赤外線通信部１０が、応答（レスポンス：ＲＳ：）を返すものである。また、携帯電話機２００から赤外線により電子名刺データを受信すると、サーバリクエスト通知（：ＳＶ：）が赤外線通信部１０から主制御部１３へ送信される。
【００６０】
次に、釦電話機ＴＥＬＩＲ１００において、受信したｖＣａｒｄ（登録商標）フォーマットの電子名刺データから電話番号を抽出する処理について説明する。
【００６１】
それに先立ち、ｖＣａｒｄ（登録商標）のデータフォーマットを説明する。
【００６２】
図６は、ｖＣａｒｄ（登録商標）のデータフォーマットの一例である。本図に示すように、名前、電話番号などのデータが、テキスト形式で所定の記述フォーマットに従って格納されている。例えば、自宅の電話番号は、ＴＥＬ；ＨＯＭＥ；ＶＯＩＣＥというコードの後に、携帯電話の番号は、ＴＥＬ；ＣＥＬＬコードの後に、また、自宅のＦＡＸ番号は、ＴＥＬ；ＨＯＭＥ；ＦＡＸ：コードの後に格納されている。このように、ｖＣａｒｄ（登録商標）フォーマットにおいては、１データに、複数の電話番号を記述することができる。
【００６３】
次に、このｖＣａｒｄ（登録商標）フォーマットにより送信された電子名刺データから電話番号を抽出する手順について説明する。電話番号抽出処理部１７が電話番号を抽出する手順を図７に示す。
【００６４】
本図に示すように、電話番号抽出処理部１７は、受信データ一時記憶領域１６１に格納されたｖＣａｒｄ（登録商標）フォーマットで記述されたテキストデータの先頭からデータを読み取りを開始する（ステップＳ７０１）。
【００６５】
行の始まり、すなわち改行の後が、’ＴＥＬ；ＨＯＭＥ’、’ＴＥＬ；ＣＥＬＬ’などの’ＴＥＬ’で始まる電話番号を表すＡＳＣＩＩコードを検出する（ステップＳ７０２）し、その後に：（コロン）を検出すると、それに続く２つ以上の連続する数字（’０’〜’９’）のＡＳＣＩＩコードを、数字データ以外のコードを読み取るまで、抽出を続ける（ステップＳ７０３）。
【００６６】
そして、抽出された数字を、電話番号一時記憶領域１６２に格納する（ステップＳ７０４）。テキストデータの最後尾まで読み取りを続け、上記ステップを繰り返す。
【００６７】
次に、携帯電話機２００から赤外線で送信されたｖＣａｒｄ（登録商標）フォーマットによる電子名刺データを受信した場合の、本実施形態の釦電話機ＴＥＬＩＲ１００および主装置ＰＢＸ４００の処理動作の概要を説明する。
【００６８】
図８は、釦電話機ＴＥＬＩＲ１００および主装置ＰＢＸ４００の処理動作を説明するための図である。
【００６９】
主制御部１３は、赤外線通信部１０において、ｖＣａｒｄ（登録商標）フォーマットで送信された電子名刺データをテキストデータとして受信すると、受信データ一時記憶領域１６１に格納する（ステップＳ８０１）。
【００７０】
なお、ここで、本明細書中の以下の説明においては、電子名刺データを１件のみ受け取る場合を例にあげて説明するが、受け取る電子名刺データは１件に限られず、複数件であってもよい。
【００７１】
主制御部１３は、受信データ一時記憶領域部１６１に受信したデータが格納されると、電話番号抽出処理部１７に、電話番号抽出処理を行なわせ、抽出した電話番号を、電話番号一時記憶領域１６２に格納するとともに、表示部１５に表示させる（ステップＳ８０２）。
【００７２】
なお、ここで、ｖＣａｒｄ（登録商標）フォーマットは、１件の電子名刺データ中に上述のように複数の電話番号を記述することが可能なため、複数の電話番号が抽出されることがある。この場合は、電話番号一時記憶領域１６２を、電話番号ごとに領域を区切り、それぞれの領域に格納する（例えば、電話番号一時記憶領域１６２−１、１６２−２、・・・・）。そして、予め何番目の電話番号を後述の電話番号変換処理部１８にダイヤルデータに変換させるか定めておいてもよいし、また、利用者に何番目の電話番号をダイヤルデータに変換させるか選択させるよう構成してもよい。なお、利用者が選択する構成の場合、電話番号変換処理部１８は、データの変換に先立って、所定のキー操作により選択を受け付けるなどの処理を行なう。
【００７３】
また、受信したｖＣａｒｄ（登録商標）フォーマットのデータから、電話番号を抽出する際に、’ＴＥＬ’コードに続く文字列（例えば、’ＨＯＭＥ’、’ＣＥＬＬ’など）により、抽出または変換する電話番号を特定できるよう構成してもよい。
【００７４】
次に、制御部１３は、電話番号発信処理部１９に、捕捉する外線を指示するデータを主装置伝送部１４を介して主装置ＰＢＸ４００に送信させる（ステップＳ８０３）。
【００７５】
主装置ＰＢＸ４００側で、指定された外線を捕捉し、ダイヤルトーン聴取（ＤＴ聴取）の状態となると、制御部１３に通知する（ステップＳ８０４）。
【００７６】
主装置ＰＢＸ４００からＤＴ聴取状態となった旨の通知を受けると、主制御部１３は、電話番号一時記憶領域１６２に格納されたテキストデータの電話番号のうち、ダイヤルデータに変換させる電話番号を、電話番号変換処理部１８に、ダイヤルデータのコードに変換させる（ステップＳ８０５）。
【００７７】
ここで、主制御部１３は、電話番号変換処理部１８に、格納されているテキストデータを１桁づつ読み出し、先頭桁から順番に既存の釦電話機と主装置間で送受信されるダイヤルデータに変換させる。これは、釦電話の記憶部に登録された電話番号をダイヤルデータに変換する処理と同様であるので、ここでは、詳細に説明しない。
【００７８】
次に、主制御部１３は、電話番号発信処理部１９に、電話番号変種処理部１７により変換されたがダイヤルデータを主装置伝送部１４を介して送出させる（ステップＳ８０６）。
【００７９】
主装置ＰＢＸ４００は、受信したダイヤルデータを外線インタフェース部２３を介して通信回線インタフェースのダイヤルデータとして送出する（ステップＳ８０７）。
【００８０】
ここで、上記の処理フローでは、外線捕捉を指示するデータは、ダイヤルデータを主装置ＰＢＸ４００に送出する前に送出する構成を例にあげて説明した。しかし、外線捕捉指示のデータ送出はこれに限られない。例えば、釦電話機ＴＥＬＩＲ１００が、ダイヤルデータを先に主装置ＰＢＸ４００に送出してから外線捕捉データを送出するプリセット発信の設定になっている場合は、上述のステップＳ８０３、Ｓ８０４の処理を行なわずに、次のステップに移行し、ステップＳ８０７の後に、外線捕捉を指示するデータを、釦電話機ＴＥＬＩＲ１００から主装置ＰＢＸ４００に送出し、通話路を接続する。
【００８１】
次に、赤外線通信によって受信した電子名刺データ内の電話番号データを用いて既存の主装置ＰＢＸ４００を通して外線捕捉およびダイヤル発信させるための釦電話機ＴＥＬＩＲ１００による処理シーケンスを説明する。
【００８２】
本実施形態の処理シーケンスの説明に先立ち、釦電話機と主装置との間の既存のダイヤルデータ送出シーケンスを説明する。図９および図１６は、既存のシーケンスを説明するための図であり、図９（ａ）は、主装置において自動的に外線を捕捉して発信する外線自動捕捉発信時の処理を、（ｂ）は、釦電話機から特定の外線を指定して発信する指定外線捕捉発信時の処理を、（ｃ）は、内線発信時の処理を、図１６は、釦電話機のプログラム等蓄積記憶領域１６４の電話帳に予め登録された電話番号に発信する処理を説明するための図である。
【００８３】
なお、以下の説明においては、釦電話機は、プリセット発信の設定がなされていない場合を例にあげ、説明する。
【００８４】
図９（ａ）に示すように、主装置において自動的に外線を捕捉して発信する外線自動捕捉発信の場合、釦電話機において、受話器をあげるなどの操作により生成されるオフフック信号を検知すると、オフフックデータを主装置に送信する（ステップａ００１）。主装置は、オフフックデータを受け、捕捉可能な外線を捕捉し（ステップａ００２）、ＤＴ聴取状態となる（ステップａ００３）。
【００８５】
ここで、外線自動捕捉発信は、オフフックデータを送信することにより外線捕捉を指示する例をあげて説明したが、それに限られない。外線捕捉を指示する予め定められた番号の釦、または、外線発信の指示を受け付けるために設けられた専用の釦の押下により、外線捕捉を指示するデータを送信するよう構成すること可能である。
【００８６】
そして、釦電話機は、操作部を介して入力を受け付けた電話番号を１桁づつダイヤルデータに変換し、主装置に送信する（ステップａ００４）。そして、主装置は、捕捉した外線に釦電話機から受信したダイヤルデータを送出する（ステップａ００５）。
【００８７】
次に、特定の外線を指定して接続する指定外線捕捉発信の場合を説明する。本発信は、主装置が収容している多種の外線から利用者が指示した外線を選択して接続する方法である。
【００８８】
図９（ｂ）に示すように、まず、釦電話機側で、所望の外線の指示を受け付け、主装置に送信する（ステップｂ００１）。本実施形態では、所望の外線を指定する所定の釦の押下（例えば、外線１を選択したい場合、１の釦の押下）を受け付ける。主装置において、釦電話機から所望の外線との接続を指示するデータを受信すると、指定された外線を捕捉する（ステップｂ００２）。そして、主装置は、釦電話機と外線との間に通話路を接続し、ＤＴ聴取状態となる（ステップｂ００３）。以降の処理は、（ａ）のステップａ００４以降の処理と同様である。
【００８９】
次に、内線発信時の処理について説明する。図９（ｃ）に示すように、釦電話機において、予め定められた内線の選択を指示する釦の押下を受け付けると主装置に送出する（ステップｃ００１）。主装置は、ＤＴ聴取状態となり（ステップｃ００２）、受け取ったダイヤルデータに従い（ステップｃ００３）、当該ダイヤルデータで指示される内線電話機（釦電話機）を呼び出す（ステップｃ００４）。
【００９０】
次に、釦電話機のプログラム等蓄積記憶領域の電話帳データを格納するための領域に予め登録された電話番号に発信する処理について説明する。ここでは、外線自動捕捉発信の場合を例にあげ、説明するが、指定外線捕捉発信も可能である。
【００９１】
図１６に示すように、釦電話機は、予め定められた電話帳データ呼び出し操作を受け付けると、プログラム等蓄積記憶領域に記憶されている電話番号を含む電話帳データを表示部に表示させる（ステップｄ００１）。釦電話機は、予め定められた選択操作に従い、所望の電話番号の選択を受け付ける（ステップｄ００２）。
【００９２】
次に、釦電話機において、オフフックを検出すると、その指示を主装置に送信する（ステップｄ００３）。主装置は、指示を受け、捕捉可能な外線を捕捉し（ステップｄ００４）、ＤＴ聴取状態となる（ステップｄ００５）。
【００９３】
そして、釦電話機は、ステップｄ００２で選択された電話番号を１桁づつダイヤルデータに変換し、主装置に送信する（ステップｄ００６）。そして、主装置は、捕捉した外線に釦電話機から受信したダイヤルデータを送出する（ステップｄ００７）。
【００９４】
上記に説明した機能を有する釦電話機と主装置とを用い、携帯電話機２００から赤外線通信により受信した電子名刺データに含まれる電話番号を呼び出すシーケンスを説明する。釦電話機ＴＥＬＩＲ１００から主装置ＰＢＸ４００を介して電話番号を発信する操作は上記の手順がある。どのような手順を用いるかは、予め設定しておくか、または、予め定められた操作を受け付け、選択する。
【００９５】
なお、以下のシーケンスにおいて、電子名刺データに複数の電話番号が登録されている中から、１つの電話番号を選択して発信するものについては、第一番目に登録されている電話番号を選択して発信するよう予め設定されている場合を例に挙げて説明する。もちろん、予め設定しておく選択する電話番号は、第一番目に限らない。
【００９６】
まず、外線自動捕捉発信の場合のシーケンスを図１０を用いて説明する。
【００９７】
本機能は、釦電話機ＴＥＬＩＲ１００では操作を行なわず、携帯電話機２００からの操作のみで、携帯電話機２００に登録されている電話番号に、釦電話機ＴＥＬＩＲ１００から外線発信を行なうものである。
【００９８】
釦電話機ＴＥＬＩＲ１００の赤外線通信部１０は、通常は待機状態、すなわち、データ受信待ち状態とする。なお、釦電話機ＴＥＬＩＲ１００において所定の操作を受け付けることによって、データ受信待ち状態となるように設定してもよい。
【００９９】
釦電話機ＴＥＬＩＲ１００は、赤外線通信部１０を介して、携帯電話機２００からｖＣａｒｄ（登録商標）データを受信する（ステップＳ１００１）。
【０１００】
例えば、携帯電話機２００から送信されたｖＣａｒｄ（登録商標）データに、名前：天気予報、読み：テンキヨホウ、第１番目の電話番号として０２７１７７、第２番目の電話番号として０４５１７７が登録されているとする。赤外線通信部１０を介して受信すると、主制御部１３は、受信したデータを受信データ一時記憶領域１６１に格納する（ステップＳ１００２）。
【０１０１】
そして、主制御部１３は、赤外線通信部１０において、データの送信完了を示すコードを受信した場合、または、予め定められた所定の時間以上データを受信しない時間があった場合、データの最後尾まで受信したとして、データ受信完了と判断する（ステップＳ１００３）。
【０１０２】
主制御部１３は、電話番号抽出処理部１７に、受信データ一時記憶領域１６１から、電話番号を抽出させ、それぞれ、電話番号一時記憶領域１６２−１、１６２−２に格納するとともに、表示部１５に第一番目の電話番号０２７１７７を表示する（ステップＳ１００４）。
【０１０３】
ここで、受信したデータに電話番号が３つ以上含まれていた場合は、１６２−３、１６２−４、と、個数に応じ、それぞれの領域に格納する。
【０１０４】
主制御部１３は、抽出処理が終わり、オフフックデータを検出すると、電話番号発信処理部１９に、外線の捕捉を指示するデータを、主装置伝送部１４を介して主装置ＰＢＸ４００に送信させる（ステップＳ１００５）。
【０１０５】
主装置ＰＢＸ４００は、それを受け、外線を捕捉し、ＤＴ聴取状態となる（ステップＳ１００６）。
【０１０６】
釦電話機ＴＥＬＩＲ１００の主制御部１３は、電話番号変換処理部１８に、電話番号一時記憶領域１６２−１に記憶された電話番号をダイヤルデータに１桁づつ変換させ、電話番号発信処理部１９に、主装置伝送部１４を介して主装置ＰＢＸ４００に送信させる（ステップＳ１００７）。
【０１０７】
それを受けた主装置ＰＢＸ４００は、１桁づつ捕捉した外線に送出する（ステップＳ１００８）。
【０１０８】
次に、指定外線捕捉発信の場合の処理シーケンスを用いて説明する。
【０１０９】
図１１は、指定外線捕捉発信の場合の処理シーケンスを説明するための図である。
【０１１０】
釦電話機ＴＥＬＩＲ１００において、主制御部１３は、予め定められた所定の外線を捕捉する操作を受け付けると、電話番号発信処理部１９に、受け付けた外線との接続を指示するデータを主装置ＰＢＸ４００に送信させる（ステップＳ１１０１）。主装置ＰＢＸ４００制御部は、指示された外線を捕捉し（ステップＳ１１０２）、当該外線と通話路を接続し、ＤＴ聴取状態となる（ステップＳ１１０３）。
【０１１１】
主制御部１３は、ＤＴ聴取状態となったこと、または、外線を捕捉する操作を受け、釦電話機ＴＥＬＩＲ１００を赤外線データ受信待ち状態とする。
【０１１２】
主制御部１３は、赤外線通信部１０を介してｖＣａｒｄ（登録商標）データ１件分を受信すると、受信データ一時記憶領域１６１に格納する（ステップＳ１１０４）。主制御部１３は、データの受信が完了したと判断する（ステップＳ１１０５）と、電話番号抽出処理部１７に、電話番号を抽出させ、電話番号一時記憶領域１６２に格納するとともに、表示部１５に表示する（ステップＳ１１０６）。
【０１１３】
そして、主制御部１３は、電話番号編集処理部１８に電話番号一時記憶領域１６２に記憶された電話番号をダイヤルデータに１桁づつ変換させ、電話番号発信処理部１９に、主装置ＰＢＸ４００に送信させる（ステップＳ１１０７）。
【０１１４】
それを受けた主装置ＰＢＸ４００は、１桁づつ捕捉した外線に送出する（ステップＳ１１０８）。
【０１１５】
次に、発信番号確認後発信の手順について説明する。本手順は、釦電話機ＴＥＬＩＲ１００から主装置ＰＢＸ４００を介して送出される電話番号を表示部１５に表示させ、利用者の承認を受け付けてから、当該電話番号の発信処理を行なうものである。図１２は、発信番号確認後発信の処理シーケンスを説明するための図である。
【０１１６】
待機状態の釦電話機ＴＥＬＩＲ１００の主制御部１３は、赤外線通信部１０を介して携帯電話機２００からｖＣａｒｄ（登録商標）データを受信し（ステップＳ１２０１）、受信データ一時記憶領域１６１に格納する（ステップＳ１２０２）。
【０１１７】
主制御部１３は、データ受信完了と判断すると（ステップＳ１２０３）、電話番号抽出処理部１７に、受信データ一時記憶領域１６１から、電話番号を抽出させ、電話番号一時記憶領域１６２に格納するとともに、表示部１５に第一番目の電話番号を表示する（ステップＳ１２０４）。
【０１１８】
主制御部１３は、予め定められた確認の指示を示す操作として、所望の外線を指示する操作を操作部１１を介して受け付けると（ステップＳ１２０５）、受け付けた外線の捕捉を指示するデータを電話番号発信処理部１９に主装置ＰＢＸ４００に送信させる（ステップＳ１２０６）。
【０１１９】
主装置ＰＢＸ４００は、それを受け、外線を捕捉し、通話路を接続し、ＤＴ聴取状態となる（ステップＳ１２０７）。
【０１２０】
釦電話機ＴＥＬＩＲ１００の主制御部１３は、電話番号変換処理部１８に、電話番号一時記憶領域１６２に記憶された電話番号をダイヤルデータに１桁づつ変換させ、電話番号発信処理部１９に、主装置伝送部１４を介して主装置ＰＢＸ４００に送信させる（ステップＳ１２０８）。
【０１２１】
それを受けた主装置ＰＢＸ４００は、１桁づつ捕捉した外線に送出する（ステップＳ１２０９）。
【０１２２】
なお、上記の発信番号確認後発信の処理において、指定外線捕捉発信の場合を例に挙げて説明したが、外線自動捕捉発信も可能である。この場合は、外線指示の操作に変わり、確認の意思を受け付ける操作を予め定めておけばよい。
【０１２３】
次に、発信番号指定発信の手順について説明する。本手順は、電子名刺データより複数の電話番号を抽出できる場合、利用者が選択した電話番号に発信処理を行なうものである。利用者による選択は、表示部１５に複数の電話番号を表示させ、予め定められた操作により、所望の電話番号を選択する指示を受け付ける。
【０１２４】
これまで説明してきた各発信方法は、ｖＣａｒｄ（登録商標）フォーマットの電子名刺データに格納されている電話番号のうち、選択される電話番号が予め定められていたが、この発信番号指定発信は、そのような設定は行なわれない。
【０１２５】
図１３は、発信番号指定発信の処理シーケンスを説明するための図である。
【０１２６】
データ受信待ち状態の釦電話機ＴＥＬＩＲ１００の主制御部１３は、赤外線通信部１０を介して、携帯電話機２００からｖＣａｒｄ（登録商標）データを受信し（ステップＳ１３０１）、受信データ一時記憶領域１６１に格納する（ステップＳ１３０２）。
【０１２７】
主制御部１３は、データ受信完了と判断すると（ステップＳ１３０３）、電話番号抽出処理部１７に、受信データ一時記憶領域１６１に格納されているデータから電話番号を抽出させ、電話番号一時記憶領域１６２内に格納するとともに、表示部１５に全て表示させる（ステップＳ１３０４）。
【０１２８】
主制御部１３は、表示部１５に表示された電話番号から所望の電話番号の選択の指示を受け付け、受け付けた電話番号を、予め定められた電話番号一時記憶領域１６２の所定の領域（選択電話番号格納領域）に格納する（ステップＳ１３０５）。
【０１２９】
選択する方法として、例えば、電話番号を１件づつ切り替えて表示部１５に表示させ、操作部１１の選択釦などの操作により選択を受け付ける、または、抽出した電話番号全件を表示部１５に表示させてカーソルなどの指示により選択を受け付ける、などの方法が考えられる。
【０１３０】
主制御部１３は、選択電話番号格納領域に電話番号が格納され、さらに、予め定められた所望の外線を指示する操作を受け付けると（ステップＳ１３０６）、受け付けた外線の捕捉を指示するデータを電話番号発信処理部１９に主装置ＰＢＸ４００に送信させる（ステップＳ１３０７）。
【０１３１】
主装置ＰＢＸ４００は、それを受け、指定された外線を捕捉し、通話路を接続し、ＤＴ聴取状態となる（ステップＳ１３０８）。
【０１３２】
釦電話機ＴＥＬＩＲ１００の主制御部１３は、電話番号変換処理部１８に、電話番号一時記憶領域１６２の選択電話番号格納領域に記憶された電話番号をダイヤルデータに１桁づつ変換させ、電話番号発信処理部１９に、主装置伝送部１４を介して主装置ＰＢＸ４００に送信させる（ステップＳ１３０９）。
【０１３３】
それを受けた主装置ＰＢＸ４００は、１桁づつ捕捉した外線に送出する（ステップＳ１３１０）。
【０１３４】
なお、上記の発信番号指定発信の処理において、指定外線捕捉発信の場合を例に挙げて説明したが、外線自動捕捉発信も可能である。この場合は、選択電話番号格納領域に電話番号が格納されたことを受けて、外線捕捉指示を主装置ＰＢＸ４００に送出するよう構成すればよい。
【０１３５】
次に保存発信番号指定発信の場合の処理シーケンスを説明する。
【０１３６】
本処理は、携帯電話機２００から転送された電話番号を釦電話機ＴＥＬＩＲ１００に記憶しておき、記憶された電話番号から発信処理を行なうものである。これにより、一旦携帯電話機２００から釦電話機ＴＥＬＩＲ１００に電話番号を転送すると、次回発信時は、携帯電話機２００からの転送が不要となる。
【０１３７】
図１４にこの場合の処理シーケンスを示す。
【０１３８】
待機状態の釦電話機ＴＥＬＩＲ１００の主制御部１３は、予め釦電話機ＴＥＬＩＲ１００側で定められた電話帳データを登録する指示を受け付けると、登録データ入力待ち状態となる（ステップＳ１４０１）。ここで、電話帳データを登録する指示は、例えば、モード切替ボタンなどを用意し、当該ボタンを介して指示を受け付ける、または、メニューとして表示部１５に表示されたモードからカーソルによって選択するなどの方法が考えられる。
【０１３９】
赤外線通信部１０を介して携帯電話機２００からｖＣａｒｄ（登録商標）データを受信すると（ステップＳ１４０２）、受信データ一時記憶領域１６１に格納する（ステップＳ１４０３）。
【０１４０】
主制御部１３は、データ受信完了と判断すると（ステップＳ１４０４）、名称、読み仮名、および、電話番号を含む電話帳データとしてプログラム等蓄積記憶領域１６４に記憶されている情報を、受信データ一時記憶領域１６１に格納された受信データから抽出し、その他の作業用記憶領域１６３に格納するとともに、その内容を表示部１５に表示する（ステップＳ１４０５）。
【０１４１】
ここで、名称、読み仮名、および、電話番号を、受信したｖＣａｒｄ（登録商標）データから抽出する方法を説明する。
【０１４２】
受信したｖＣａｒｄ（登録商標）データは、図６のものを例に挙げて説明する。
【０１４３】
まず、名称を抽出する。名称は図６の例のＮ型定義とＦＮ型定義がある。
【０１４４】
Ｎ型定義のフォーマットの場合、改行の後の‘Ｎ’で始まる名称を表すテキストを検出する。そして、その後に続くテキストから’：’（コロン）を検出し、これに続く文字コードを抽出する。’；；；；’（セミコロン４つ）、もしくは、改行を表すコードが検出されたとき、抽出を終了する。
【０１４５】
ＦＮ型定義のフォーマットの場合、改行後の’ＦＮ’で始まる名称を表すテキストを検出し、その後に続くテキストから検出された’：’（コロン）の後に続く文字コードを’；；；；’（セミコロン４つ）もしくは改行を表すコードが検出されるまで抽出する。
【０１４６】
次に、読み仮名を抽出する。読み仮名は、図６の例のＳＯＵＮＤ型定義とＳＯＲＴ−ＳＴＲＩＮＧ型定義がある。
【０１４７】
ＳＯＵＮＤ型定義のフォーマットの場合、改行の後の‘ＳＯＵＮＤ’で始まる読み仮名を表すテキストを検出する。そして、その後に続くテキストから’：’（コロン）を検出し、これに続く文字コードを抽出する。’；；；；’（セミコロン４つ）、もしくは、改行を表すコードが検出されたとき、抽出を終了する。
【０１４８】
ＦＮ型定義のフォーマットの場合、改行後の’ＦＮ’で始まる読み仮名を表すテキストを検出し、その後に続くテキストから検出された’：’（コロン）の後に続く文字コードを’；；；；’（セミコロン４つ）もしくは改行を表すコードが検出されるまで抽出する。
【０１４９】
電話番号の抽出は、図７に沿って説明した電話番号抽出と同様で、改行の後の’ＴＥＬ’で始まる電話番号を表すテキストを検出し、その後に続くテキストから’：’（コロン）を検出するとこれに続く数字コードを、数字以外のコードもしくは改行を表すコードを検出するまで抽出する。
【０１５０】
上記の手法で抽出して表示した名称、読み仮名、電話番号を含んだデータに対し、予め定められた承認の操作を受け付けると、主制御部１３は、ステップＳ１４０５で抽出した情報を、プログラム等蓄積記憶領域１６４の電話帳データ記憶領域に格納する（ステップＳ１４０６）。
【０１５１】
以降の処理は、既存の釦電話機においてプログラム等蓄積記憶領域の電話帳データに予め登録された電話番号に発信する場合の処理と同様である。
【０１５２】
次に内線発信の場合の処理を説明する。
【０１５３】
本処理は、携帯電話機２００から送信された内線電話番号に、釦電話機ＴＥＬＩＲ１００から内線発信を行なうものである。
【０１５４】
図１５に内線発信の場合の処理シーケンスを示す。
【０１５５】
本図に示すように、待機状態の釦電話機ＴＥＬＩＲ１００は、赤外線通信部１０において携帯電話機２００からｖＣａｒｄ（登録商標）により電子名刺データを受信し（ステップＳ１５０１）、受信データ一時記憶領域１６１に記憶する（ステップＳ１５０２）。
【０１５６】
受信完了を認識すると（ステップＳ１５０３）、主制御部１３は、電話番号抽出処理部１７に、受信したデータから電話番号を抽出させ、電話番号一時記憶領域１６２に記憶させるとともに表示部１５に表示する（ステップＳ１５０４）。
【０１５７】
主制御部１３は、予め定められた釦の押下など操作部１１を介して受け付けた指示に従い、電話番号発信処理部１９に、内線の捕捉を指示するデータを主装置ＰＢＸ４００に送信させる（ステップＳ１５０５）。
【０１５８】
主装置ＰＢＸ４００は、それを受け、釦電話機ＴＥＬＩＲ１００との間に通話路を接続し、内線のＤＴ聴取を開始する（ステップＳ１５０６）。
【０１５９】
釦電話機ＴＥＬＩＲ１００の主制御部１３は、電話番号変換処理部１８に、電話番号一時記憶領域１６２に記憶された電話番号をダイヤルデータに１桁づつ変換させ、電話番号発信処理部１９に、主装置伝送部１４を介して主装置ＰＢＸ４００に送信させる（ステップＳ１５０７）。
【０１６０】
主装置ＰＢＸ４００は、受け付けた内線を呼び出す（ステップＳ１５０８）。
【０１６１】
以上説明したように、本実施形態によれば、ｖＣａｒｄ（登録商標）フォーマットの電子名刺データと、当該電子名刺データを赤外線にて外部機器に送出する機能を有する既存の携帯電話を利用して、当該電子名刺データに登録されている電話番号に、釦電話機を介して容易に発信することができる。
【０１６２】
すなわち、本実施形態は、移動体端末等に新規な構成を付加することなく、既存の機能を用い、保持している電話帳データを利用し、他の電話機を用いて通信を行なうことができる。
【０１６３】
また、ｖＣａｒｄ（登録商標）フォーマットの電子名刺データと、当該電子名刺データを赤外線にて外部機器に送出する機能を有する機器であれば、例えば、携帯端末など、機器自体に通話機能が備わっていないものであっても、登録された電話番号に固定電話機を介して、容易に発信を行なうことができる。
【０１６４】
なお、上記の実施形態では、移動端末と固定電話機間の通信を赤外線によるプロトコルを例にあげて説明したが、プロトコルもこれに限られない。例えばＢｌｕｅｔｏｏｔｈなどを用いてもよい。
【０１６５】
また、電子名刺データのフォーマットも、ｖＣａｒｄ（登録商標）以外のフォーマットでもよい。この場合、上記の実施形態と同様に、電子名刺データのフォーマットに従って固定電話機側に、受け取ったデータを先頭から読み取り、電話番号を示すラベルを検索し、その後に続く数字を読み出すといった構成が付加されていればよい。
【０１６６】
なお、上記の実施形態において説明した、受信したｖＣａｒｄ（登録商標）フォーマットデータから電話番号を抽出して呼を設定するため各構成を、移動体端末が有していてもよい。
【０１６７】
従来、ｖＣａｒｄ（登録商標）フォーマットの電子名刺データと、当該電子名刺データを赤外線にて外部機器と送受する機能を有する移動端末間において、他機器が保有している電話番号に電話をかける場合、移動体端末において、一旦、データを受信し、電子名刺データに格納し、通常の手順に沿って発信している。しかし、移動体端末が上記各構成を有していれば、他機器からの指示のみで、当該他機器に送信された電子名刺データに格納されている所定の電話番号に、発信することができ、利便性が高まる。
【０１６８】
【発明の効果】
移動体端末等が有する電話帳データと当該電話帳データを送出する機能とを利用して、他の電話機を用いて通信を行なうことができる。
【図面の簡単な説明】
【図１】図１は、本実施形態のシステム構成図である。
【図２】図２は、本実施形態の釦電話機および主装置の機能ブロック図である。
【図３】図３は、本実施形態の赤外線通信部の機能ブロック図である。
【図４】図４は、本実施形態の携帯電話機の機能ブロック図である。
【図５】図５は、本実施形態の電子名刺データ送受信のシーケンスを説明するための図である。
【図６】図６は、ｖＣａｒｄ（登録商標）のデータフォーマットの一例を説明するための図である。
【図７】図７は、本実施形態の電話番号抽出処理部が電話番号を抽出する処理を説明するための図である。
【図８】図８は、本実施形態の釦電話機と主装置の処理動作を説明するための図である。
【図９】図９は、釦電話機と主装置間のダイヤルデータ送出の既存のシーケンスを説明するための図である。
【図１０】図１０は、本実施形態の外線自動捕捉発信の場合のダイヤルデータ送出のシーケンスを説明するための図である。
【図１１】図１１は、本実施形態の指定外線捕捉発信の場合のダイヤルデータ送出のシーケンスを説明するための図である。
【図１２】図１２は、本実施形態の発信番号確認後発信の場合のダイヤルデータ送出のシーケンスを説明するための図である。
【図１３】図１３は、本実施形態の発信番号指定発信の場合のダイヤルデータ送出のシーケンスを説明するための図である。
【図１４】図１４は、本実施形態の保存発信番号指定発信の場合の受信電話番号保存時のシーケンスを説明するための図である。
【図１５】図１５は、本実施形態の内線発信の場合のダイヤルデータ送出のシーケンスを説明するための図である。
【図１６】図１６は、電話帳データに登録された電話番号に関するダイヤルデータを釦電話機から主装置間に送出する際の既存のシーケンスを説明するための図である
【符号の説明】
１００・・・釦電話機ＴＥＬＩＲ、１１０・・・釦電話機ＴＥＬ、２００・・・携帯電話機、３００・・・電話網、４００・・・主装置ＰＢＸ、１・・・本体部、３・・・送受話部、１１・・・操作部、１２・・・音声処理部、１３・・・主制御部、１４・・・主装置伝送部、１５・・・表示部、１６・・・記憶部、１７・・・電話番号抽出処理部、１８・・・電話番号変換処理部、１９・・・電話番号発信処理部、１６１・・・受信データ一時記憶領域、１６２・・・電話番号一時記憶領域、１６３・・・その他の作業用記憶領域、１６４・・・プログラム蓄積記憶領域、３１・・・受話部、３２・・・送話部、２０・・・音声処理部、２１・・・電話機伝送部、２２・・・主制御部、２３・・・外線インタフェース部
【図１】
2004320110.tif 000003
【図２】
2004320110.tif 000004
【図３】
2004320110.tif 000005
【図４】
2004320110.tif 000006
【図５】
2004320110.tif 000007
【図６】
2004320110.tif 000008
【図７】
2004320110.tif 000009
【図８】
2004320110.tif 000010
【図９】
2004320110.tif 000011
【図１０】
2004320110.tif 000012
【図１１】
2004320110.tif 000013
【図１２】
2004320110.tif 000014
【図１３】
2004320110.tif 000015
【図１４】
2004320110.tif 000016
【図１５】
2004320110.tif 000017
【図１６】
2004320110.tif 000018